(57)【要約】【目的】用紙供給装置より供給された用紙の中央を綴じ、この綴じ部において２つ折りした中綴じ折り冊子の、小口側・天側・地側を断裁して切り揃える三方断裁システムにおいて、用紙供給装置の操作をしながら完成した冊子の取り出しを行う作業者の負担を軽減する。【構成】用紙供給装置２と、中綴じ折り装置３と、小口断裁装置４と、天地断裁装置６と、完成した冊子を配列するスタッカ８とを有する三方断裁システム１を、第１の方向転換装置５及び第２の方向転換装置７を含めてコの字型に構成し、スタッカ８と用紙供給装置２との間の距離を短縮する。【選択図】図１
2005161478.tif 000002
【特許請求の範囲】
【請求項１】
用紙を供給する用紙供給装置と、この用紙供給装置によって供給された１冊分の用紙束の中央部を綴じ、この綴じ部において二つ折りして冊子を作成する中綴じ折り装置と、この中綴じ折り装置で中綴じ折りされた冊子の小口を断裁する小口断裁装置と、この小口断裁装置で小口を断裁された冊子の搬送方向を転換する第１の搬送方向転換手段と、この第１の搬送方向転換手段で搬送方向を転換した冊子の天側及び地側を断裁する天地断裁装置と、この天地断裁装置で天側及び地側を断裁された冊子を蓄積するスタッカとを有する三方断裁システムにおいて、前記天地断裁装置と前記スタッカとの間に配置され、前記天地断裁装置で天地を断裁された冊子の搬送方向を転換する第２の搬送方向転換手段を設けたことを特徴とする三方断裁システム。
【請求項２】
前記第２の搬送方向転換手段における転換前の冊子搬送方向に対する転換後の冊子搬送方向を、前記第１の搬送方向転換手段における転換前の冊子搬送方向に対する転換後の冊子搬送方向と同じ方向とし、コの字型の冊子搬送経路が形成されていることを特徴とする請求項１記載の三方断裁システム。
【請求項３】
前記第１の搬送方向転換手段は、冊子の折り目側を先頭とした方向から、冊子の折り目に対し平行な方向に、中綴じ折り冊子の搬送方向を転換することを特徴とする請求項１または２記載の三方断裁システム。
【請求項４】
前記用紙供給装置には、この用紙供給装置を操作する操作パネルが配置されており、前記第１の搬送方向転換手段は、転換前の冊子搬送路に対し、用紙供給装置操作パネルが配置されている側に、冊子の搬送方向を転換するものであることを特徴とする請求項１ないし３いずれか１項に記載の三方断裁システム。
【請求項５】
前記第２の搬送方向転換手段は、冊子の地縁を先頭として搬送されてきた冊子を受ける受部と、この受部に冊子が搬入されたことを検知する検知手段と、この受部に搬入された冊子の地縁を突き当てて停止させるストッパと、このストッパにより停止させた冊子の折目側を先頭として受部から搬出する搬出手段と、受部から搬出された冊子をＵターンさせるＵターン搬送路と、このＵターン搬送路の下流側に設けられ前記スタッカに冊子を排出する排出口とを有することを特徴とする請求項１ないし４いずれか１項に記載の三方断裁システム。
【請求項６】
前記スタッカは、前記排出口から排出された冊子を互いにその一部が重なった状態で直列にスタックされるスタックテーブルと、このスタックテーブル上にスタックされた冊子を搬送する搬送ベルトと、この搬送ベルトに上方から接触して転動回転するコロを有することを特徴とする請求項１ないし５いずれか１項に記載の三方断裁システム。
【発明の詳細な説明】
【技術分野】
【０００１】
本発明は、中綴じ折りされた冊子の小口側、天側、地側の三方を断裁して切り揃える三方断裁システムに関する。
【背景技術】
【０００２】
１冊分の用紙束の中央部を綴じ、この綴じ部において二つ折りして冊子を作成する中綴じ折り製本は、雑誌やパンフレット等を作成するための製本方法として広く実施されている。この中綴じ折りされた冊子の端部の揃いと見栄えをよくするため、中綴じ折り処理を行った冊子に対し、その天側、地側、小口側を断裁して切り揃える三方断裁システムが使用されることが多い。
【０００３】
図４は従来の三方断裁システムの一例を示す平面図である。
【０００４】
図４に示すように、この三方断裁システム１０１は、用紙Ｓを供給する用紙供給装置２と、この用紙供給装置２によって供給された１冊分の用紙Ｓの束の中央部を綴じ、この綴じ部において二つ折りして冊子Ｂを作成する中綴じ折り装置３と、この中綴じ折り装置で中綴じ折りされた冊子Ｂの小口を断裁する小口断裁装置４と、この小口断裁装置で小口を断裁された冊子Ｂの搬送方向を転換する第１の搬送方向転換装置５と、この第１の搬送方向転換装置５で搬送方向を転換した冊子Ｂの天側及び地側を断裁する天地断裁装置６と、この天地断裁装置で天側及び地側を断裁された冊子Ｂを蓄積する蓄積部１０７とを有している。
【０００５】
用紙供給装置２には、丁合装置２ａ、印刷装置２ｂ、シートフィーダ２ｃ等が適用される。図５はこの用紙供給装置２に丁合装置２ａを適用した場合の、丁合装置２ａ及び中綴じ折り装置３の用紙の流れを示す図、図６はこの用紙供給装置２に印刷装置２ｂを適用した場合の、印刷装置２ｂ及び中綴じ折り装置３の用紙の流れを示す図、図７はこの用紙供給装置２にシートフィーダ２ｃを適用した場合の、シートフィーダ２ｃ及び中綴じ折り装置３の用紙の流れを示す図である。図５に示すように、例えば丁合装置２ａにおいては用紙Ｓの束を積載した複数の給紙部２ａ−１から用紙Ｓを１枚ずつ取り出して丁合し、１冊分の束を作成して中綴じ折り装置３に供給する。図６に示すように、印刷装置２ｂにおいては、用紙Ｓに印刷を施し、印刷後の用紙Ｓをページ順に中綴じ折り装置３に供給する。図７に示すように、シートフィーダ２ｃにおいては、印刷後の用紙Ｓの束を給紙部２ｃ−１にページ順に積載し、この給紙部２ｃ−１から１枚ずつ用紙Ｓを取り出して中綴じ折り装置３に供給する。この他にも用紙供給装置２には、中綴じ折り装置３に用紙Ｓを供給する様々な装置が適用可能である。中綴じ折り装置３では、綴じ部３０１において用紙の束の中央部を綴じ（矢印Ｒ）、折り部３０２において二つ折りして中綴じ折り冊子Ｂを作成する。
【０００６】
中綴じ折り冊子Ｂの形態を図８を用いて説明する。図８に示すように、中綴じ折り冊子Ｂは、用紙束を綴じた部分において２つ折りされた折り目側Ｂ１を有し、さらにこの折り目側Ｂ１の対辺であって、冊子のページを開く側である小口側Ｂ２と、この折り目側Ｂ１及び小口側Ｂ２と直交する両縁である地側Ｂ３、天側Ｂ４を有している。
【０００７】
図４に示すように、用紙供給装置２には、用紙供給装置２を操作する操作パネル２０１が設けられている。この操作パネル２０１では、システムのスタート及びストップ、作成する冊子の冊数の設定、各種動作モードの設定、エラーとその内容表示、各機構部の調整、接続されている後処理機の設定等を行うことができる。例えば丁合装置２ａの操作パネル２０１ａ（図５参照）においては、作成する束数の設定、作成済み束数の表示、複数ある給紙部のうちどの給紙部から給紙するかの設定、ある給紙部の用紙がなくなると自動的に他の給紙部に給紙が移行する機能の設定、給紙の際に用紙の分離及び吸着搬送に使われるエア量の調整、その他の各種設定と表示が行われる。また、印刷装置２ｂの操作パネル２０１ｂ（図６参照）においては、使用する用紙の選択、印刷画像の縮小拡大や枠消し等の制御、印刷部数の設定、印刷済み部数の表示、印刷濃度等の画質の設定、その他の各種設定と表示が行われる。また、シートフィーダ２ｃの操作パネル２０１ｃ（図７参照）においては、用紙サイズの入力、供給部数の設定、供給済み部数の表示、その他の各種設定と表示が行われる。
【０００８】
この三方断裁システム１０１の動作を図４を参照して説明する。用紙供給装置２から中綴じ折り装置に３に１冊分の用紙Ｓが供給される。この中綴じ折り装置３の機構は図示省略しているが、１冊分の用紙Ｓを揃えて中央部でステッチャによって綴じ、この綴じ部において二つ折りする機構を有しており、この機構によって冊子Ｂが形成され、この冊子Ｂはその折り目側Ｂ１を先頭として中綴じ折り装置３から排出される。
【０００９】
中綴じ折り装置３から排出された冊子Ｂは、小口断裁装置４に導入される。この小口断裁装置４は、冊子搬送路に突出退避可能なストッパ４０１と、小口断裁刃４０２と、冊子を中綴じ折り装置３側から第１の方向転換装置側５に向かう方向に搬送する冊子搬送機構（図示せず）を有しており、この小口断裁刃４０２は、固定刃４０２ａとこの固定刃４０２ａに摺接しながら上下動する可動刃４０２ｂとを有する。それ以外の詳細な機構は図示省略されている。この小口断裁装置４においては、冊子搬送路に突出しているストッパ４０１に冊子Ｂの先端（折り目側Ｂ１）が当接して停止後、小口側Ｂ２が小口断裁刃４０２によって断裁されて切り揃えられる。断裁後、ストッパ４０１が冊子Ｂの搬送路から退避し、冊子Ｂの搬送が再開され、小口断裁装置４から排出される。
【００１０】
小口断裁装置４から排出された冊子Ｂは、第１の方向転換装置５に導入される。この第１の方向転換装置５においては矢印Ｅに示すように、冊子Ｂは折り目Ｂ１を先頭とした搬送方向から地側Ｂ３を先頭とした搬送方向に変換されて排出される。この第１の方向転換装置５の詳細な機構は特許文献１に記載されているので図示省略している。
【００１１】
第１の方向転換装置５から排出された冊子Ｂは、天地断裁装置６に導入される。天地断裁装置６は、第１ストッパ６０１、地側断裁刃６０２、基準ガイド６０３、可動ガイド６０４、第２ストッパ６０５、天側断裁刃６０６と、地側Ｂ３を先頭として冊子Ｂを搬送する搬送ベルト６０７とを有している。地側断裁刃６０２と天側断裁刃６０６はそれぞれ固定刃６０２ａ、６０６ａと、この固定刃に摺接する可動刃６０２ｂ、６０６ｂとを有する。その他の詳細な機構は後出の特許文献１に記載されているので省略する。
【００１２】
この天地断裁装置６に導入された冊子Ｂは搬送ベルト６０７によって地側Ｂ３を先頭として搬送され、地側Ｂ３が第１ストッパ６０１に当接して停止する。その後可動ガイド６０４が矢印Ｆ方向に移動して冊子Ｂの小口Ｂ２に当接して冊子Ｂを基準ガイド６０３に向かって押して移動させ、折り目側Ｂ１を基準ガイド６０３に当接させる。さらにその後地側断裁刃６０２によって冊子Ｂの地側Ｂ３が断裁され切り揃えられる。断裁後、ストッパ６０１が冊子Ｂの搬送路から退避し、冊子Ｂの搬送が再開される。
【００１３】
冊子Ｂは搬送ベルト６０７によって地側Ｂ３を先頭としてさらに搬送され、地側Ｂ３が第２ストッパ６０５に当接して停止する。その後天側断裁刃６０６によって冊子Ｂの天側Ｂ４が断裁され切り揃えられる。断裁後、第２ストッパ６０５が冊子Ｂの搬送路から退避し、冊子Ｂの搬送が再開され、冊子Ｂは天地断裁装置６から排出される。
【００１４】
小口側Ｂ２、地側Ｂ３、天側Ｂ４の三方が断裁されて切り揃えられ、天地断裁装置６から排出された冊子Ｂは、蓄積部１０７に積層されて蓄積される（例えば、特許文献１参照）。
【特許文献１】特願２００３−３９４９７０
【発明の開示】
【発明が解決しようとする課題】
【００１５】
しかし、この背景技術の三方断裁システム１０１では、用紙供給、中綴じ折り、小口断裁、天地断裁、蓄積と、用紙・冊子を搬送しながら多くの段階を経て処理されるので、最前段である用紙供給装置２と、最後段である蓄積部１０７との距離Ｄ１が長くなってしまう。
【００１６】
この背景技術の三方断裁システム１０１を一人で操作した場合、システム動作中は断裁が完了した冊子Ｂの取り出し作業を行うために蓄積部１０７において作業を行うことになる。しかし、処理の進行にともない、用紙供給装置２である印刷装置や丁合装置において用紙がなくなったり、紙づまりなどのエラーが発生してシステムが停止した場合、用紙供給装置２において新たな用紙の積載やエラー処理を行わなければならず、そのたびに距離Ｄ１を移動しなければならないので、操作者の移動距離が長くなり、操作性が悪くなるという問題があった。
【００１７】
さらに、用紙供給装置２においてはシステム動作中においても新たな用紙の積載が可能である場合があり（例えば、複数の給紙部を持つ丁合装置において、用紙が無くなった場合は自動的に他の給紙部に給紙動作が移行し、他の給紙部で給紙動作を続けながら用紙がなくなった給紙部に用紙の補給ができる等）、その場合はシステム動作中に次々に蓄積部１０７に排出される冊子を順次取り出す作業と並行して用紙供給装置２の積載作業を行わなければならないので、操作者は距離Ｄ１を頻繁に移動しなければならず著しい負担がかかるという問題があった。近年、人件費は極力抑制される傾向にあり、このような三方断裁システムにおいても、一人で負担なく操作できることが好ましい。
【００１８】
本発明の目的は、蓄積された冊子の取り出し作業を行いながら用紙供給装置の操作を一人で行う場合でも、操作者の移動距離が少なくてすみ、操作者への負担を減らすことができ、さらに冊子を安定して蓄積することができる三方断裁システムを提供することにある。
【課題を解決するための手段】
【００１９】
この課題を解決するための本発明の三方断裁システムは、用紙を供給する用紙供給装置と、この用紙供給装置によって供給された１冊分の用紙束の中央部を綴じ、この綴じ部において二つ折りして冊子を作成する中綴じ折り装置と、この中綴じ折り装置で中綴じ折りされた冊子の小口を断裁する小口断裁装置と、この小口断裁装置で小口を断裁された冊子の搬送方向を転換する第１の搬送方向転換手段と、この第１の搬送方向転換手段で搬送方向を転換した冊子の天側及び地側を断裁する天地断裁装置と、この天地断裁装置で天側及び地側を断裁された冊子を蓄積するスタッカとを有する三方断裁システムにおいて、前記天地断裁装置と前記スタッカとの間に配置され、前記天地断裁装置で天地を断裁された冊子の搬送方向を転換する第２の搬送方向転換手段を設けたことを特徴とする三方断裁システムである。
【００２０】
また、前記第２の搬送方向転換手段における転換前の冊子搬送方向に対する転換後の冊子搬送方向を、前記第１の搬送方向転換手段における転換前の冊子搬送方向に対する転換後の冊子搬送方向と同じ方向とし、コの字型の冊子搬送経路が形成されていることを特徴とする三方断裁システムである。
【００２１】
また、前記第１の搬送方向転換手段は、冊子の折り目側を先頭とした方向から、冊子の折り目に対し平行な方向に、中綴じ折り冊子の搬送方向を転換することを特徴とする三方断裁システムである。
【００２２】
また、前記用紙供給装置には、この用紙供給装置を操作する操作パネルが配置されており、前記第１の搬送方向転換手段は、転換前の冊子搬送路に対し、用紙供給装置操作パネルが配置されている側に、冊子の搬送方向を転換するものであることを特徴とする三方断裁システムである。
【００２３】
また、前記第２の搬送方向転換手段は、冊子の地縁を先頭として搬送されてきた冊子を受ける受部と、この受部に冊子が搬入されたことを検知する検知手段と、この受部に搬入された冊子の地縁を突き当てて停止させるストッパと、このストッパにより停止させた冊子の折目側を先頭として受部から搬出する搬出手段と、受部から搬出された冊子をＵターンさせるＵターン搬送路と、このＵターン搬送路の下流側に設けられ前記スタッカに冊子を排出する排出口とを有することを特徴とする三方断裁システムである。
【００２４】
また、前記スタッカは、前記排出口から排出された冊子を互いにその一部が重なった状態で直列にスタックされるスタックテーブルと、このスタックテーブル上にスタックされた冊子を搬送する搬送ベルトと、この搬送ベルトに上方から接触して転動回転するコロを有することを特徴とする三方断裁システムである。
【発明の効果】
【００２５】
本発明によれば、スタッカと用紙供給装置との距離が従来よりも短くてすむので、完成した冊子を取り出しながら用紙供給装置を操作する際の操作性が向上する。また、中綴じ折り冊子を折り目を先頭として排出させることができるので、完成した冊子を安定して蓄積することができる。
【発明を実施するための最良の形態】
【００２６】
本発明の実施の形態を図面を参照して説明する。図１は本発明の実施の形態に係る三方断裁システムの概略上面図である。なお、背景技術における三方断裁システムと同一の構成・機能を有する部材には同じ符号を付し、その詳細な説明は省略する。
【００２７】
図１に示すように、本発明の三方断裁システムは、用紙供給装置２と、中綴じ折り装置３と、小口断裁装置４と、第１の方向転換装置５と、天地断裁装置６とに加え、天地断裁機６において天側Ｂ４及び地側Ｂ３を断裁された冊子Ｂの搬送方向を転換する第２の方向転換装置７と、この第２の方向転換装置７において方向が転換された冊子Ｂを、互いにその一部が重なった状態で直列に並べて搬送しながらスタックするスタッカ８と、により構成される。
【００２８】
図２はこの第２の方向転換装置７及びスタッカ８を示す平面図、図３はその側面図である。図２、３に示すように、第２の方向転換装置７は、冊子Ｂの地側Ｂ３を先頭として搬送されてきた冊子Ｂを受ける受部７０１と、この受部７０１に搬入された冊子の地側Ｂ３を突き当てて停止させるストッパ７０２と、このストッパ７０２により停止させた冊子の折目側Ｂ１を先頭として受部７０１から搬出する搬出ベルト７０３と、この搬出ベルト７０３により搬出された冊子ＢをＵターンさせるＵターン搬送路７０４と、このＵターン搬送路７０４の下流側に設けられ、スタッカ８に冊子Ｂを排出する排出口７０５と、受部７０１に冊子Ｂが搬入されたことを検知する検知手段であるセンサ７０９とを有する。
【００２９】
スタッカ８は、排出口７０５から排出された冊子Ｂを互いにその一部が重なった状態で直列にスタックされるスタックテーブル８０１と、このスタックテーブル８０１上にスタックされた冊子Ｂを搬送する搬送ベルト８０２と、この搬送ベルト８０２に上方から接触して転動回転するコロ８０３を有する。
【００３０】
冊子Ｂは図１及び図２に示す矢印Ｇ方向から、その地側Ｂ３を先頭として搬入される。図２及び図３に示すように、受部７０１には複数の円筒形のローラ７０６が、冊子の搬送方向に対し一定のピッチで複数設けられていて、常時駆動を与えられ回転している。この回転により、搬入された冊子Ｂを、受部７０１において図２に示す上方へ移動させる。すると冊子Ｂの地側Ｂ３がストッパ７０２に当接して停止する（図２における第２の方向転換装置７内に一点鎖線にて示す位置となる）。受部７０１のストッパ７０２に近い位置に、この受部７０１に冊子Ｂが搬入されたことを検知する検知手段であるセンサ７０９が設けられている。センサ７０９は発行素子と、この発行素子が発した光を受ける受光素子とで構成され、冊子Ｂがこの光を遮ることにより、冊子Ｂを検知する。
【００３１】
このローラ７０６による冊子Ｂの搬送方向に対して直交する方向に走行する搬出ベルト７０３が設けられている。図３に示すように、この搬出ベルト７０３には、２ヵ所の突起７０３ａが設けられていて、冊子Ｂの搬入時には突起７０３ａのうちの一つが冊子Ｂの搬入領域に対し図３に示す左側で待機する位置となるように、搬出ベルト７０３は停止している。
【００３２】
センサ７０９が冊子Ｂを検知すると、この突起７０３ａが図３に示す矢印Ｈ方向に移動するようにベルトが周回駆動される。すると突起７０３ａは受部７０１で停止した冊子Ｂの小口側Ｂ２に当接し、これを図３に示す右方へ移動させる。
【００３３】
受部７０１の図３に示す右側から左下方の排出口７０５にかけて、Ｕターン搬送路７０４が搬送ベルト７０７、７０８により形成され、この搬送ベルト７０７，７０８には常時駆動力が与えられ、矢印Ｋ方向に走行している。突起７０３ａによって図３に示す右方へ移動した冊子Ｂは搬送ベルト７０７、７０８にくわえ込まれ、Ｕターン搬送路７０４を折り目側Ｂ１を先頭として搬送されて排出口７０５から排出される。
【００３４】
排出口７０５から排出された冊子Ｂは、スタッカ８のスタックテーブル８０１上に載置される。図３に示すように、排出口７０５から排出された冊子Ｂ１２は、その１つ前に排出された冊子Ｂ１１の上に一部が重なるように、スタックテーブル８０１上に並べられる。搬送ベルト８０２は、冊子Ｂが排出口７０５から排出されるたびに、搬送方向における冊子同士の互いの重なりのずれ量Ａ分だけ移動するように、冊子Ｂの排出に合わせて間欠的に駆動される。また、排出される冊子Ｂを上方からコロ８０３により押えることで、冊子Ｂを搬送ベルト８０２に圧接させ、冊子Ｂが排出口７０５から飛び出して１つ前の冊子Ｂ１１を飛び越えてしまうことなく整然と配列される。さらに冊子Ｂは折り目側Ｂ１を先頭として排出口７０５から排出されるので、冊子Ｂの先端がばらけて１つ前の冊子Ｂ１１に当接することなく、整然と配列される。スタッカ８の冊子搬送方向下流側端には、整列して搬送されてきた冊子Ｂを蓄積する蓄積トレイ８０４が設けられ、操作者はこのスタックテーブル８０１上に整列された冊子Ｂか、もしくは蓄積トレイ８０４上に蓄積された冊子Ｂを完成品として取り出す。
【００３５】
図１に示すように、この第２の方向転換装置７は、天地断裁装置６からの冊子Ｂを矢印Ｇ方向から受け入れ、この冊子Ｂを方向転換（矢印Ｌ）及びＵターン（矢印Ｍ）させて矢印Ｎ方向へ排出している。従って冊子搬入方向（矢印Ｌ方向）に対し、冊子排出方向（矢印Ｎ方向）は左側を向いている。また、第１の方向転換装置５における転換方向も同様に、冊子搬入方向（矢印Ｐ方向）に対し、冊子排出方向（矢印Ｑ方向）は左側を向いている。従って本発明の三方断裁システムの冊子Ｂ搬送経路は２度の方向転換によってコの字型を形成する。すなわち、背景技術における蓄積部１０７から用紙供給装置２までの距離Ｄ１（図４参照）よりも、本発明の三方断裁システムにおけるスタッカ８または蓄積トレイ８０４から用紙供給装置２までの距離Ｄ２の方が短くてすむ。従って、作業者が用紙供給装置２において、用紙の積載やエラー処理等の作業を行いながら、完成した冊子を取り出す作業を平行して一人で行う場合の移動距離が短くてすむので、操作性が向上する。
【００３６】
また、第１の方向転換装置５において転換される方向と同じ側（本実施の形態では、第１の方向転換装置による方向転換前の冊子搬送方向の左側）に用紙供給装置２の操作パネル２０１が配置されているので、操作パネル２０１は搬送経路のコの字型の内側に位置することになるので、作業者が用紙供給装置２において、操作パネル２０１の操作を伴う作業を行いながら、完成した冊子を取り出す作業を平行して一人で行う場合でも、移動距離が短くてすむので、操作性が向上する。
【００３７】
本実施の形態における第２の方向転換装置７は、いったん方向転換した冊子をＵターンさせているが、受部７０１において停止した冊子を、Ｕターンさせることなく直接小口側Ｂ２を先頭とする方向に方向転換させても良い。
【００３８】
また、本実施の形態におけるスタッカ８は、冊子が互いにその一部が重なった状態で直列に並べて搬送されて蓄積部に達するように構成されているが、冊子が互いにその間隔を空けて蓄積部まで搬送される形態のものでも良い。
【００３９】
さらに本実施の形態における天地断裁装置６においては、冊子の地側Ｂ３を断裁した後に天側Ｂ４を断裁しているが、この逆、すなわち、冊子の天側Ｂ４を断裁した後に地側Ｂ３を断裁しても良い。また、冊子の「地側」、「天側」とは小口側及び折り目側に対して直交する両縁の呼称であり、図１におけるＢ３を「天側」、Ｂ４を「地側」と呼んでも差し支えないことはいうまでもない。
【図面の簡単な説明】
【００４０】
【図１】本発明の実施の形態に係る三方断裁システムの概略上面図である。
【図２】本発明の実施の形態に係る三方断裁システムにおける第２の方向転換装置７及びスタッカ８を示す平面図である。
【図３】本発明の実施の形態に係る三方断裁システムにおける第２の方向転換装置７及びスタッカ８を示す側面図である。
【図４】背景技術における三方断裁システムの概略上面図である。
【図５】用紙供給装置２に丁合装置２ａを適用した場合の、丁合装置２ａ及び中綴じ折り装置３の用紙の流れを示す図である。
【図６】用紙供給装置２に印刷装置２ｂを適用した場合の、印刷装置２ｂ及び中綴じ折り装置３の用紙の流れを示す図である。
【図７】用紙供給装置２にシートフィーダ２ｃを適用した場合の、シートフィーダ２ｃ及び中綴じ折り装置３の用紙の流れを示す図である。
【図８】中綴じ折り冊子Ｂの形状を示す図である。
【符号の説明】
【００４１】
２；用紙供給装置
２ａ；丁合装置
２ａ−１；給紙部
２ｂ；印刷装置
２ｃ；シートフィーダ
２ｃ−１；給紙部
３；中綴じ折装置
４；小口断裁装置
５；第１の搬送方向転換装置
６；天地断裁装置
７；第２の方向転換装置
８；スタッカ
１０１；背景技術における三方断裁システム
１０７；蓄積部
２０１；操作パネル
３０１；綴じ部
３０２；折り部
４０１；ストッパ
４０２；小口断裁刃
４０２ａ；固定刃
４０２ｂ；可動刃
６０１；第１ストッパ
６０２；地側断裁刃
６０２ａ；固定刃
６０２ｂ；可動刃
６０３；基準ガイド
６０４；可動ガイド
６０５；第２ストッパ
６０６；天側断裁刃
６０６ａ；固定刃
６０６ｂ；可動刃
６０７；搬送ベルト
７０１；受部
７０２；ストッパ
７０３；搬出ベルト
７０３ａ；突起
７０４；Ｕターン搬送路
７０５；排出口
７０６；ローラ
７０７，７０８；搬送ベルト
７０９；センサ
８０１；スタックテーブル
８０２；搬送ベルト
８０３；コロ
８０４；蓄積トレイ
Ａ；ずれ量
Ｂ、Ｂ１１、Ｂ１２；冊子
Ｂ１；折り目側
Ｂ２；小口側
Ｂ３；地側
Ｂ４；天側
Ｄ１；蓄積部１０７から用紙供給装置２までの距離
Ｄ２；蓄積トレイ８０４から用紙供給装置２までの距離
Ｅ，Ｆ，Ｇ，Ｈ，Ｋ，Ｌ，Ｍ，Ｎ，Ｐ，Ｑ，Ｒ；矢印
Ｓ；用紙
【図１】
2005161478.tif 000003
【図２】
2005161478.tif 000004
【図３】
2005161478.tif 000005
【図４】
2005161478.tif 000006
【図５】
2005161478.tif 000007
【図６】
2005161478.tif 000008
【図７】
2005161478.tif 000009
【図８】
2005161478.tif 000010